(57)【要約】  【課題】  本発明は、最大でガス状物質の全負荷量を必要とする消費ユニット（１２）への供給のための、ガス状物質が入っており、かつ内圧（ＰＸ）のかかった、並列につながれている少なくとも２つのタンク（２１、２２、２３、２４、２５）を備える、タンク設備（１０）の運転方法であって、各タンク（２１、２２、２３、２４、２５）が安全弁（３１、３２、３３、３４、３５）を有し、該安全弁（３１、３２、３３、３４、３５）を通過するガス状物質の流量が切断量を上回ると安全弁がタンク（２１、２２、２３、２４、２５）を切断する、運転方法に関する。  【解決手段】  少なくとも１つのタンク（２１、２２、２３、２４、２５）内の内圧（ＰＸ）が第１閾値を下回ると、先に切断されていた少なくとも１つの別のタンク（２１、２２、２３、２４、２５）が接続される。  【選択図】  図１
2019534982.tif 000002
【特許請求の範囲】
【請求項１】
最大でガス状物質の全負荷量（ＭＶ）を必要とする消費ユニット（１２）への供給のための、ガス状物質が入っており、かつ内圧（ＰＸ）のかかった、並列につながれている少なくとも２つのタンク（２１、２２、２３、２４、２５）を備える、タンク設備（１０）の運転方法であって、
各タンク（２１、２２、２３、２４、２５）が安全弁（３１、３２、３３、３４、３５）を有し、
前記安全弁（３１、３２、３３、３４、３５）を通過する前記ガス状物質の流量が切断量（ＭＡ）を上回ると、前記安全弁が前記タンク（２１、２２、２３、２４、２５）を切断する、方法において、
少なくとも１つのタンク（２１、２２、２３、２４、２５）内の前記内圧（ＰＸ）が第１閾値（Ｐ１）を下回ると、先に切断されていた少なくとも１つの別のタンク（２１、２２、２３、２４、２５）が接続されることを特徴とする、方法。
【請求項２】
少なくとも１つのタンク（２１、２２、２３、２４、２５）内の前記内圧（ＰＸ）が前記第１閾値（Ｐ１）を上回ると、少なくとも１つの別のタンク（２１、２２、２３、２４、２５）が切断されることを特徴とする、請求項１に記載の方法。
【請求項３】
前記第１閾値（Ｐ１）より小さい所定の最低圧力（ＰＭ）での前記安全弁（３１、３２、３３、３４、３５）の切断量（ＭＡ）は、最低圧力（ＰＭ）でのすべてのタンク（２１、２２、２３、２４、２５）の前記安全弁（３１、３２、３３、３４、３５）の前記切断量（ＭＡ）の和が前記全負荷量（ＭＶ）より大きくなるように算出されていることを特徴とする、請求項１または２のいずれか１項に記載の方法。
【請求項４】
すべてのタンク（２１、２２、２３、２４、２５）内の前記内圧（ＰＸ）が前記最低圧力（ＰＭ）を上回っている間は、
前記接続されたタンク（２１、２２、２３、２４、２５）の前記安全弁（３１、３２、３３、３４、３５）の前記切断量（ＭＡ）の和が前記全負荷量（ＭＶ）より大きくなる数のタンク（２１、２２、２３、２４、２５）が少なくとも接続されることを特徴とする、請求項３に記載の方法。
【請求項５】
前記第１閾値（Ｐ１）は、該第１閾値（Ｐ１）での前記安全弁（３１、３２、３３、３４、３５）の前記切断量（ＭＡ）が前記全負荷量（ＭＶ）より大きくなるように算出されていることを特徴とする、請求項１〜４のいずれか１項に記載の方法。
【請求項６】
少なくとも１つのタンク（２１、２２、２３、２４、２５）内の前記内圧（ＰＸ）が前記第１閾値（Ｐ１）を上回ると、前記内圧（ＰＸ）が前記第１閾値（Ｐ１）を上回っている正確に１つのタンク（２１、２２、２３、２４、２５）が接続されることを特徴とする、請求項５に記載の方法。
【請求項７】
前記接続されたタンク（２１、２２、２３、２４、２５）は、その内圧（ＰＸ）が前記第１閾値（Ｐ１）を下回ると切断されることを特徴とする、請求項１〜６のいずれか１項に記載の方法。
【請求項８】
前記内圧（ＰＸ）がすべてのタンク（２１、２２、２３、２４、２５）内で前記第１閾値（Ｐ１）を下回り、少なくとも２つのタンク（２１、２２、２３、２４、２５）内で第２閾値（Ｐ２）を上回ると、内圧（ＰＸ）が前記第１閾値（Ｐ１）を下回り、かつ前記第２閾値（Ｐ２）を上回っている正確に２つのタンク（２１、２２、２３、２４、２５）が接続されることを特徴とする、請求項１〜７のいずれか１項に記載の方法。
【請求項９】
前記第２閾値（Ｐ２）は、前記第２閾値（Ｐ２）での前記安全弁（３１、３２、３３、３４、３５）の前記切断量（ＭＡ）が前記全負荷量（ＭＶ）の２分の１より大きくなるように算出されていることを特徴とする、請求項８に記載の方法。
【請求項１０】
前記接続されたタンク（２１、２２、２３、２４、２５）は、その内圧（ＰＸ）が前記第２閾値（Ｐ２）を下回ると切断されることを特徴とする、請求項８〜９のいずれか１項に記載の方法。
【請求項１１】
請求項１〜１０のいずれか１項に記載の方法の使用であって、ガス駆動式車両における、使用。
【発明の詳細な説明】
【技術分野】
【０００１】
本発明は、最大でガス状物質の全負荷量を必要とする消費ユニットへの供給のための、ガス状物質が入っており、かつ内圧のかかった、並列につながれている少なくとも２つのタンクを備えるタンク設備の運転方法であって、各タンクが安全弁を有し、該安全弁を通過するガス状物質の流量が切断量を上回ると安全弁がタンクを切断する、タンク設備の運転方法に関する。
【背景技術】
【０００２】
例えば燃料などのガス状物質を消費ユニットへ供給するために複数のタンクを並列につなぐことが公知である。消費ユニットは、例えば燃料として水素（Ｈ２）を必要とする燃料電池システムである。消費ユニットおよびタンクは、例えば車両、特に乗用車またはバスを駆動するために用いられる。
【０００３】
例えば燃料電池システムの水素タンクなどのガスタンクの安全装置は、例えばＥＣ７９／２００９により大幅に規格化されている。その際、規格によると、各タンクには、過剰に取り出されたときに水素の給送が中断されるようにする安全弁がなければならない。それにより特に配管の破損時の歯止めのない漏洩、したがって水素の歯止めのない流出が回避される。
【０００４】
すなわち安全弁は、安全弁を通過するガス状物質の流量が切断量を上回るとタンクを切断する。その際、公知の安全弁の切断量は、その構造にもとづいて一定ではなく、タンクの内圧に依存する。特に、タンク内の内圧が上昇するにつれて切断量は増す。
【０００５】
通常、安全弁の切断量は、燃料電池システムに関係する全負荷量では、いかなる状況下でも安全弁がまだ反応しないように設計される。特に、最低の内圧で全負荷量を取り出す場合にタンクが切断されてはならない。
【０００６】
安全弁の切断量のこの設計では、この全負荷量の何倍もの量で初めて、比較的高い内圧で安全弁が反応することができる。したがって安全弁を通過する流量が比較的高い内圧で全負荷量より多くなるが切断量より少なくなる原因となる漏洩は、内圧がかなり低下して初めて認識され安全弁が閉じられる。したがって相応の漏洩が適時に防がれず、タンクが切断される前に比較的大量の水素が漏れる可能性がある。
【発明の概要】
【０００７】
タンク設備の運転方法が提案される。その際、タンク設備は、ガス状物質が入っており、かつ内圧のかかった、並列につながれている少なくとも２つのタンクを備えている。タンク設備は、最大でガス状物質の全負荷量を必要とする消費ユニットへの供給のために用いられる。その際、各タンクは安全弁を有し、該安全弁を通過するガス状物質の流量が切断量を上回ると安全弁はタンクを切断する。
【０００８】
本発明によれば、タンク設備の少なくとも１つのタンク内の内圧が第１閾値を下回ると、先に切断されていた少なくとも１つの別のタンクが接続される。
【０００９】
その際、接続されるタンクの数と切断されるタンクの数とはタンク内の内圧に依存する。タンク設備のタンク内の内圧が高ければ高いほど、接続されるタンクの数が少なくなり、切断されるタンクの数が多くなる。
【００１０】
本発明の有利な一実施形態では、少なくとも１つのタンク内の内圧が第１閾値を上回ると少なくとも１つの別のタンクが切断される。
【００１１】
すなわちタンク設備の少なくとも１つのタンク内の内圧が第１閾値を上回る間は、すべてのタンクが同時に消費ユニットと接続されるということはない。すなわちこの場合、タンク設備のタンクは、消費ユニットへの供給のために同時にではなく、順次排出される。
【００１２】
安全弁の切断量は一定ではなく、タンク内の内圧が上昇するにつれて増す。第１閾値より小さい所定の最低圧力での安全弁の切断量は、この最低圧力でのタンク設備のすべてのタンクの安全弁の切断量の和が、消費ユニットが最大で必要とする全負荷量より大きくなるように算出されていることが好ましい。
【００１３】
その際、最低圧力は当該タンクの特性値である。タンクの内圧が少なくとも最低圧力と同じ大きさである間は、消費ユニットへの供給のためのタンクの排出がまだ可能である。すなわち、最低圧力に達するまではタンクを問題なく運転すること、したがって排出することができる。
【００１４】
通例、タンク設備のタンクは同じ構造であり、タンクの安全弁も同じ構造である。その場合、最低圧力での安全弁の切断量は同じように算出され、同じ値を有する。その場合、最低圧力でのすべての安全弁の切断量の和は、最低圧力での安全弁の切断量にタンクの数を乗じた積に相当する。
【００１５】
タンク設備のすべてのタンク内の内圧が最低圧力を上回っている間は、接続されたタンクの安全弁の切断量の和が全負荷量より大きくなる数のタンクが少なくとも接続されることが有利である。したがって、すべてのタンク内の内圧が最低圧力を上回っている間はいつも、消費ユニットが全負荷量を利用できる。
【００１６】
第１閾値は、該第１閾値での安全弁の切断量が全負荷量より大きくなるように算出されていることが好ましい。すなわち、タンク設備のタンク内の内圧が第１閾値を上回ると、このタンクは単独で全負荷量を提供すること、および消費ユニットに供給することができる。
【００１７】
それゆえ、本発明の有利な一実施形態では、タンク設備の少なくとも１つのタンク内の内圧が第１閾値を上回ると、内圧が第１閾値を上回っている正確に１つのタンクが消費ユニットへの供給のために接続される。その際、それ以外のタンクは切断される。複数のタンク内の内圧が第１閾値を上回ると、これらのタンクの１つが選択されて接続される。
【００１８】
接続されたタンクは、その内圧が第１閾値を下回ると切断される。その場合、タンク設備の少なくとも１つの別のタンク内の内圧が第１閾値を上回ると、内圧が第１閾値を上回っている別のタンクが消費ユニットへの供給のために接続される。
【００１９】
内圧がタンク設備のすべてのタンク内で第１閾値を下回り、少なくとも２つのタンク内で第２閾値を上回ると、内圧が第１閾値を下回り、かつ第２閾値を上回っている正確に２つのタンクが消費ユニットへの供給のために接続される。複数のタンク内の内圧が第２閾値を上回ると、これらのタンクのうちの２つが選択されて接続される。
【００２０】
第２閾値は、該第２閾値での安全弁の切断量が全負荷量の２分の１より大きくなるように算出されていることが好ましい。したがって２つの安全弁の切断量の和は全負荷量より大きい。すなわちタンク設備の２つのタンク内の内圧が第２閾値を上回ると、これらの２つのタンクが一緒に全負荷量を提供すること、および消費ユニットに供給することができる。
【００２１】
接続されたタンクは、その内圧が第２閾値を下回ると切断される。タンク設備の少なくとも２つの別のタンク内の内圧が第２閾値を上回ると、内圧が第２閾値を上回る２つの別のタンクが消費ユニットへの供給のために接続される。
【００２２】
本発明に係るタンク設備の運転方法は、ガス駆動式車両、特に乗用車またはバスにおいて有利に使用される。その際、消費ユニットは、例えば燃料電池システムであり、タンク設備のタンクには、燃料電池システムが燃料として必要とする水素（Ｈ２）が入っている。これに代えて、消費ユニットがガス駆動式内燃機関であってもよく、タンクには、内燃機関が燃料として必要とする天然ガス（圧縮された天然のガス、ＣＮＧ）が入っている。
【発明の効果】
【００２３】
タンク設備に漏洩が発生した場合に、流出するガスの量がタンク設備のすべてのタンクのものではなく、接続されたタンクのみのものになる。それによって、漏洩が原因の、接続されたタンクの安全弁を通過する流量が増加する。それによって、漏洩時には、接続されたタンクの安全弁の切断量を早期に上回る。したがって、本発明に係るタンク設備の運転方法では、漏洩が比較的早期に認識され、漏洩が発生した場合に流出する燃料の量が著しく低減される。
【００２４】
それにもかかわらず、タンク設備のすべてのタンク内の内圧が最低圧力を上回る間はいつも、消費ユニットは全負荷量を利用できる。接続された１つのタンク内の、または接続された複数のタンク内の内圧が閾値を下回ると、別の１つタンクまたは別の複数のタンクを接続することによってタンク設備のタンクを略均等に排出することも保証されている。それにより運転中、個々のタンク内の内圧は略同じである。
【図面の簡単な説明】
【００２５】
【図１】消費ユニットと結合されたタンク設備の模式図である。
【図２】タンク内の内圧に対する安全弁の切断量の依存関係のグラフである。
【図３】タンク設備の第１運転手順のフローチャートである。
【図４】タンク設備の第２運転手順のフローチャートである。
【図５】タンク内の内圧に対する接続されたタンクの数の依存関係のグラフ表示である。
【発明を実施するための形態】
【００２６】
本発明の実施形態を図面および以下の記載をもとに詳しく説明する。
【００２７】
本発明の実施形態の以下の記載において同じまたは類似の要素には同じ参照符号が付され、個々の事例において要素についての説明を繰り返さない。図は、本発明の主題を模式的に示すにすぎない。
【００２８】
図１は、消費ユニット１２と結合されたタンク設備１０の模式図を示す。タンク設備１０は、ここでは第１タンク２１と第２タンク２２と第３タンク２３と第４タンク２４と第５タンク２５とを備えている。一般に、タンク設備１０は数Ｎのタンク２１、２２、２３、２４、２５を備えている。Ｎは２以上の任意の整数であり得、ここではＮは５である。
【００２９】
第１タンク２１は、第１制御弁４１と第１安全弁３１とを有する。第２タンク２２は、第２制御弁４２と第２安全弁３２とを有する。第３タンク２３は、第３制御弁４３と第３安全弁３３とを有する。第４タンク２４は、第４制御弁４４と第４安全弁３４とを有する。第５タンク２５は、第５制御弁４５と第５安全弁３５とを有する。
【００３０】
タンク２１、２２、２３、２４、２５には圧力下にあるガス状物質、ここでは水素（Ｈ２）が入っている。したがってタンク２１、２２、２３、２４、２５の各々には内圧ＰＸがかかっている。タンク２１、２２、２３、２４、２５は並列につながれ集合管１４と結合されている。集合管１４は、ここでは燃料電池システムである消費ユニット１２とも結合されている。タンク設備１０のタンク２１、２２、２３、２４、２５から集合管１４を介して消費ユニット１２にガス状物質を供給することができる。
【００３１】
ここでは電磁弁として形成されている制御弁４１、４２、４３、４４、４５によってタンク２１、２２、２３、２４、２５を互いに別々に接続および切断することができる。その際、あるタンク２１、２２、２３、２４、２５が集合管１４と、したがって消費ユニット１２とも結合されている場合、そのタンクは接続されている。あるタンク２１、２２、２３、２４、２５が集合管１４および消費ユニット１２と結合されていない場合、そのタンクは切断されている。
【００３２】
安全弁３１、３２、３３、３４、３５を通過するガス状物質の流量が切断量ＭＡを上回ると、安全弁３１、３２、３３、３４、３５がそれぞれのタンク２１、２２、２３、２４、２５を切断する。安全弁３１、３２、３３、３４、３５は、特に、例えば集合管１４の漏洩にもとづいて流量が切断量ＭＡより多くなった場合には、それぞれのタンク２１、２２、２３、２４、２５を切断する。安全弁３１、３２、３３、３４、３５の切断量ＭＡは一定ではなく、タンク２１、２２、２３、２４、２５の内圧ＰＸに依存する。
【００３３】
図２は、タンク２１、２２、２３、２４、２５の内圧ＰＸに対する安全弁３１、３２、３３、３４、３５の切断量ＭＡの依存関係を示すグラフである。その際、内圧ＰＸがＸ軸上にプロットされ、切断量ＭＡはＹ軸上にプロットされている。ここでは、タンク設備１０のタンク２１、２２、２３、２４、２５は同じ構造であり、安全弁３１、３２、３３、３４、３５も同じ構造である。安全弁３１、３２、３３、３４、３５の切断量ＭＡも同じである。
【００３４】
消費ユニット１２は、最大でガス状物質の全負荷量ＭＶを必要とする。安全弁３１、３２、３３、３４、３５は、最低圧力ＰＭでのすべての安全弁３１、３２、３３、３４、３５の切断量ＭＡの和が、全負荷量ＭＶより大きい最大量ＭＭに相当するように設定されている。
【００３５】
消費ユニット１２への供給のためのタンク２１、２２、２３、２４、２５の排出がまだ可能である最低圧力ＰＭは、ここでは１５ｂａｒである。ここでは、全負荷量ＭＶは約４ｇ／ｓである。最低圧力ＰＭでの安全弁３１、３２、３３、３４、３５の切断量ＭＡは、ここでは約１ｇ／ｓである。したがって、最大量ＭＭは、ここでは約５ｇ／ｓである。
一般に  ＭＭ＝Ｎ＊ＭＡ（ＰＭ）＞ＭＶ
と表される。
【００３６】
ここでは約３７５ｂａｒである第１閾値Ｐ１では、安全弁３１、３２、３３、３４、３５の切断量ＭＡが最大量ＭＭに等しい。ここでは約９４ｂａｒである第２閾値Ｐ２では、安全弁３１、３２、３３、３４、３５の切断量ＭＡが最大量ＭＭの２分の１である。ここでは約４２ｂａｒである第３閾値Ｐ３では、安全弁３１、３２、３３、３４、３５の切断量ＭＡが最大量ＭＭの３分の１である。ここでは約２３ｂａｒである第４閾値Ｐ４では安全弁３１、３２、３３、３４、３５の切断量ＭＡが最大量ＭＭの４分の１である。
【００３７】
図３は、タンク設備１０の第１運転手順のフローチャートである。ここでは、少なくとも１つのタンク２１、２２、２３、２４、２５内の内圧ＰＸが第１閾値Ｐ１を上回るという第１前提条件１０１が検査される。
【００３８】
第１前提条件１０１が満たされている場合、第１実行ステップ１０３において、タンク２１、２２、２３、２４、２５のうち、その内圧ＰＸが第１閾値Ｐ１を上回っている正確に１つのタンクが接続される。それと同時にそれ以外のタンク２１、２２、２３、２４、２５が切断される。すなわち、第１実行ステップ１０３の後にはタンク設備１０の正確に１つのタンク２１、２２、２３、２４、２５が接続されている。
【００３９】
次に、第１検査ステップ１０５においてタンク設備１０の接続されたタンク２１、２２、２３、２４、２５の内圧ＰＸが測定される。接続されたタンク２１、２２、２３、２４、２５の内圧ＰＸが第１閾値Ｐ１をまだ上回っている間は、このタンク２１、２２、２３、２４、２５は接続されたままである。
【００４０】
接続されたタンク２１、２２、２３、２４、２５の内圧ＰＸが第１閾値Ｐ１を下回ると、第１切替ステップ１０７において、この接続されたタンク２１、２２、２３、２４、２５が切断される。
【００４１】
続いて、少なくとも１つのタンク２１、２２、２３、２４、２５内の内圧ＰＸが第１閾値Ｐ１を上回るという第１前提条件１０１が再び検査される。第１前提条件１０１がまだ満たされている間は、第１実行ステップ１０３において、その内圧ＰＸが第１閾値Ｐ１を上回っている正確に１つの別のタンク２１、２２、２３、２４、２５が接続される。
【００４２】
すなわち、タンク設備１０の第１運転手順の実行中はいつも、タンク設備１０のタンク２１、２２、２３、２４、２５のうちの正確に１つのタンクが接続されている。それによってタンク２１、２２、２３、２４、２５は順次、しかし略均等に排出される。したがって第１運転手順の実行中は個々のタンク２１、２２、２３、２４、２５内の内圧ＰＸが略同じである。
【００４３】
第１前提条件１０１が満たされなくなると、すなわち各タンク２１、２２、２３、２４、２５内の内圧ＰＸが第１閾値Ｐ１を下回ると、第１交換ステップ１０９において、タンク設備１０の運転手順が交換される。
【００４４】
図４は、タンク設備１０の第２運転手順のフローチャートを示す。準備として、内圧ＰＸがすべてのタンク２１、２２、２３、２４、２５内で第１閾値Ｐ１を下回り、かつ少なくとも２つのタンク２１、２２、２３、２４、２５内で第２閾値Ｐ２を上回るという第２前提条件２０１が検査される。
【００４５】
第２前提条件２０１が満たされている場合、第２実行ステップ２０３において、タンク２１、２２、２３、２４、２５のうち、その内圧ＰＸが第２閾値Ｐ２を上回っている正確に２つのタンクが接続される。それと同時にそれ以外のタンク２１、２２、２３、２４、２５が切断される。すなわち、第２実行ステップ２０３の後にはタンク設備１０の正確に２つのタンク２１、２２、２３、２４、２５が接続されている。
【００４６】
次に、第２検査ステップ２０５において、タンク設備１０の接続されたタンク２１、２２、２３、２４、２５の内圧ＰＸが測定される。接続されたタンク２１、２２、２３、２４、２５の内圧ＰＸが第２閾値Ｐ２をまだ上回っている間は、これらのタンク２１、２２、２３、２４、２５は接続されたままである。
【００４７】
接続されたタンク２１、２２、２３、２４、２５の内圧ＰＸが第２閾値Ｐ２を下回ると、第２切替ステップ２０７において、これらの接続されたタンク２１、２２、２３、２４、２５が切断される。
【００４８】
続いて、内圧ＰＸがすべてのタンク２１、２２、２３、２４、２５内で第１閾値Ｐ１を下回り、かつ少なくとも２つのタンク２１、２２、２３、２４、２５内で第２閾値Ｐ２を上回るという第２前提条件２０１が再び検査される。第２前提条件２０１がまだ満たされている間は、第２実行ステップ２０３において、その内圧ＰＸが第２閾値Ｐ２を上回っている正確に２つの別のタンク２１、２２、２３、２４、２５が接続される。
【００４９】
すなわち、タンク設備１０の第２運転手順の実行中はいつも、タンク設備１０のタンク２１、２２、２３、２４、２５のうちの正確に２つのタンクが接続されている。それによってタンク２１、２２、２３、２４、２５は、順次、しかし略均等に排出される。したがって個々のタンク２１、２２、２３、２４、２５内の内圧ＰＸは、第２運転手順の実行中は略同じである。
【００５０】
第２前提条件２０１が満たされなくなると、すなわち各タンク２１、２２、２３、２４、２５内の内圧ＰＸが第２閾値Ｐ２を下回ると、第２交換ステップ２０９においてタンク設備１０の運転手順が交換される。
【００５１】
本明細書中で紹介される第１運転手順および第２運転手順と同様に、本明細書中で明示的に説明されていない別の運転手順において３つ、４つ、または５つのタンク２１、２２、２３、２４、２５が同時に接続される。その際、接続されるタンクの数ｉはタンク２１、２２、２３、２４、２５内の内圧ＰＸに依存する。
【００５２】
図５は、タンク２１、２２、２３、２４、２５内の内圧ＰＸに対する接続されるタンク２１、２２、２３、２４、２５の数ｉの依存関係のグラフを示す。その際、内圧ＰＸがＸ軸上にプロットされ、接続されるタンク２１、２２、２３、２４、２５の数ｉはＹ軸上にプロットされている。
【００５３】
タンク２１、２２、２３、２４、２５内の内圧ＰＸが第１閾値Ｐ１を上回ると、少なくとも１つのタンク２１、２２、２３、２４、２５、好ましくは正確に１つのタンク２１、２２、２３、２４、２５が接続される。
【００５４】
タンク２１、２２、２３、２４、２５内の内圧ＰＸが第１閾値Ｐ１を下回り、かつ第２閾値Ｐ２を上回ると、少なくとも２つのタンク２１、２２、２３、２４、２５、好ましくは正確に２つのタンク２１、２２、２３、２４、２５が接続される。
【００５５】
タンク２１、２２、２３、２４、２５内の内圧ＰＸが第２閾値Ｐ２を下回り、かつ第３閾値Ｐ３を上回ると、少なくとも３つのタンク２１、２２、２３、２４、２５、好ましくは正確に３つのタンク２１、２２、２３、２４、２５が接続される。
【００５６】
タンク２１、２２、２３、２４、２５内の内圧ＰＸが第３閾値Ｐ３を下回り、かつ第４閾値Ｐ４を上回ると、少なくとも４つのタンク２１、２２、２３、２４、２５、好ましくは正確に４つのタンク２１、２２、２３、２４、２５が接続される。
【００５７】
タンク２１、２２、２３、２４、２５内の内圧ＰＸが第４閾値Ｐ４を下回り、かつ最低圧力ＰＭを上回ると、すべての５つのタンク２１、２２、２３、２４、２５が接続される。
【００５８】
本発明は、本明細書中に記載された実施例および実施例において強調された局面に限定されない。むしろ請求項に記載された範囲で当業者が通常行う範囲の多数の変更が可能である。
【符号の説明】
【００５９】
１０  タンク設備
１２  消費ユニット
２１、２２、２３、２４、２５  タンク
３１、３２、３３、３４、３５  安全弁
Ｐ１  第１閾値
Ｐ２  第２閾値
ＭＡ  切断量
ＭＶ  全負荷量
ＰＭ  最低圧力
ＰＸ  内圧
【図１】
2019534982.tif 000003
【図２】
2019534982.tif 000004
【図３】
2019534982.tif 000005
【図４】
2019534982.tif 000006
【図５】
2019534982.tif 000007
【国際調査報告】
2019534982.tif 000008
2019534982.tif 000009
2019534982.tif 000010
2019534982.tif 000011
2019534982.tif 000012
2019534982.tif 000013